(57)【特許請求の範囲】
【請求項１】
試料にイオンビームを照射するためのイオン源と、
真空チャンバ内に配置され、前記イオンビームに直交する第１の軸に平行な傾斜軸を持つ傾斜ステージを備えたイオンミリング装置において、
前記傾斜ステージ上に配置され、前記試料を保持する試料保持部材を支持する支持台と、
前記第１の軸に直交する第２の軸に平行な回転軸及び傾斜軸を持ち、前記支持台を回転、或いは傾斜させる駆動機構と、
前記傾斜ステージを傾斜させながら、前記支持台を回転或いは往復傾斜させて、前記イオンビームを照射する状態と、前記傾斜ステージを非傾斜状態とすると共に、前記支持台を往復傾斜させて、前記イオンビームを照射する状態を切り替える切替部を備えたことを特徴とするイオンミリング装置。
【請求項２】
請求項１において、
前記イオンビーム軸と前記支持台の回転軸を偏心させる機構を備えたことを特徴とするイオンミリング装置。
【請求項３】
請求項２において、
前記試料保持部材は、前記イオンビームの一部を遮ると共に、前記第２の軸に平行に位置付けられる面を有する遮蔽部を備え、当該試料保持部材は前記支持台に着脱可能に構成されていることを特徴とするイオンミリング装置。
【請求項４】
請求項２において、
前記切替部による切り替えに応じて、前記傾斜ステージを傾斜させながら、前記支持台を回転或いは往復傾斜させて、前記イオンビームを照射する状態と、前記傾斜ステージを非傾斜状態とすると共に、前記支持台を往復傾斜させて、前記イオンビームを照射する状態を切り替える制御装置を備えたことを特徴とするイオンミリング装置。
【請求項５】
請求項１において、
前記真空チャンバには、観察窓が設けられていることを特徴とするイオンミリング装置。
【請求項６】
請求項５において、
前記観察窓は、前記真空チャンバの天井面に設けられていることを特徴とするイオンミリング装置。
【請求項７】
請求項６において、
前記真空チャンバの天井面と異なる面には、前記イオン源が設置されていることを特徴とするイオンミリング装置。
【請求項８】
請求項５において、
前記試料のイオンビーム照射位置と、前記観察窓との間の空間に移動可能なシャッタが設けられていることを特徴とするイオンミリング装置。
【請求項９】
請求項１において、
前記真空チャンバには、光学顕微鏡、或いは電子顕微鏡が設けられていることを特徴とするイオンミリング装置。
【請求項１０】
請求項９において、
前記光学顕微鏡、或いは電子顕微鏡は、前記真空チャンバの天井面に設けられていることを特徴とするイオンミリング装置。
【請求項１１】
請求項１０において、
前記真空チャンバの天井面と異なる面には、前記イオン源が設置されていることを特徴とするイオンミリング装置。
【請求項１２】
請求項９において、
前記試料のイオンビーム照射位置と、前記光学顕微鏡、或いは電子顕微鏡との間の空間に移動可能なシャッタが設けられていることを特徴とするイオンミリング装置。
【請求項１３】
真空チャンバに取り付けられ、試料にイオンビームを照射するイオン源と、当該イオン源から放出されるイオンビームの照射方向に対し、垂直な方向の傾斜軸を持つ傾斜ステージを備えたイオンミリング装置において、
前記試料ステージ上に設置され、前記傾斜軸に直交する回転傾斜軸を有する回転体と、前記真空チャンバの壁面であって、前記傾斜軸と前記イオンビームの照射軌道が為す平面に直交する方向に設けられる加工観察用の開口とを備えたことを特徴とするイオンミリング装置。
【請求項１４】
請求項１３において、
前記試料位置を、前記試料ステージ上にて偏心させる偏心機構を備えたことを特徴とするイオンミリング装置。
【請求項１５】
請求項１３において、
前記回転体上に試料マスクユニットを備え、当該試料マスクユニットは、前記回転傾斜軸に平行するイオンビームの遮蔽面を有する遮蔽部を有することを特徴とするイオンミリング装置。
【請求項１６】
請求項１３において、
前記イオンビーム源と前記試料の距離により、断面ミリングと表面ミリングのモードが切り替わることを特徴とするイオンミリング装置。
【請求項１７】
請求項１３において、
前記加工観察用開口の上部に光学顕微鏡を配置することを特徴とするイオンミリング装置。
【請求項１８】
請求項１３において、
前記加工観察用開口部に、電子顕微鏡のカラムを配置することを特徴とするイオンミリング装置。
【発明の詳細な説明】
【技術分野】
【０００１】
本発明は、走査電子顕微鏡（ＳＥＭ）や透過型電子顕微鏡（ＴＥＭ）などで観察される試料を作製するためのイオンミリング装置およびイオンミリング方法に関する。
【背景技術】
【０００２】
イオンミリング装置は、金属，ガラス，セラミックなどの表面あるいは断面を、アルゴンイオンビームを照射するなどして研磨するための装置であり、電子顕微鏡により試料の表面あるいは断面を観察するための前処理装置として好適である。【０００３】
電子顕微鏡による試料の断面観察において、従来は観察したい部位の近傍を例えばダイヤモンドカッター，糸のこぎり等を使用して切断した後、切断面を機械研磨し、電子顕微鏡用の試料台に取り付けて像を観察していた。【０００４】
機械研磨の場合、例えば高分子材料やアルミニウムのように柔らかい試料では、観察表面がつぶれる、あるいは研磨剤の粒子によって深い傷が残るといった問題があった。又、例えばガラスあるいはセラミックのように固い試料では研磨が難しく、柔らかい材料と固い材料とが積層された複合材料では、断面加工が極めて難しいという問題があった。【０００５】
これに対し、イオンミリングは、柔らかい試料でも表面の形態がつぶれることなく加工できる、固い試料および複合材料の研磨が可能である。鏡面状態の断面を容易に得ることができるという効果がある。【０００６】
特許文献１には、真空チャンバ内に配置され、試料にイオンビームを照射するためのイオンビーム照射手段と、前記真空チャンバ内に配置され、前記イオンビームにほぼ垂直な方向の傾斜軸をもつ傾斜ステージと、その傾斜ステージ上に配置され、前記試料を保持する試料ホルダと、前記傾斜ステージ上に位置し、前記試料を照射するイオンビームの一部を遮る遮蔽材とを備えた試料作製装置であり、前記傾斜ステージの傾斜角を変化させながら、前記イオンビームによる試料加工を行う試料作製装置が記載されている。
【先行技術文献】
【特許文献】
【０００７】
【特許文献１】特開２００５−９１０９４号公報
【発明の概要】
【発明が解決しようとする課題】
【０００８】
特許文献１に開示された試料作製装置は、断面加工（断面ミリング）用のイオンミリング装置である。一方、イオンミリング装置には、試料を回転させつつ、試料表面をイオンビームによって加工する平面ミリング用の装置がある。このように同じようにイオンビームを照射して試料を加工する装置であっても、イオンビーム照射時の試料の動きが異なるが故に、別装置とする必要があった。【０００９】
以下に、断面加工と平面加工の両方を同じ真空チャンバ内にて行うことを目的とするイオンミリング装置を説明する。
【課題を解決するための手段】
【００１０】
上記目的を達成するための一態様として、試料にイオンビームを照射するためのイオン源と、真空チャンバ内に配置され、前記イオンビームに直交する第１の軸に平行な傾斜軸を持つ傾斜ステージを備えたイオンミリング装置において、前記傾斜ステージ上に配置され、前記試料を保持する試料保持部材を支持する支持台と、前記第１の軸に直交する第２の軸に平行な回転軸及び傾斜軸を持ち、前記支持台を回転、或いは傾斜させる駆動機構と、前記傾斜ステージを傾斜、前記支持台を回転或いは往復傾斜させて、前記イオンビームを照射する状態と、前記傾斜ステージを非傾斜状態とすると共に、前記支持台を往復傾斜させて、前記イオンビームを照射する状態を切り替える切替部を備えたイオンミリング装置を提案する。
【発明の効果】
【００１１】
上記構成によれば、断面ミリングと平面ミリングの双方を１台の装置にて行うことができる。
本発明の他の目的、特徴及び利点は添付図面に関する以下の本発明の実施例の記載から明らかになるであろう。
【図面の簡単な説明】
【００１２】
【図１】イオンミリング装置の概略構成図である。
【図２】試料マスクユニットの概略構成図である。
【図３】試料マスクユニットの他の例を示す図である。
【図４】試料の断面とマスクを平行にする方法を示した説明図である。
【図５】試料ユニットベースを引き出し、試料マスクユニットを設置した試料マスクユニット微動機構を着脱した状態を示す図である。
【図６】別体と設けられた光学顕微鏡に試料マスクユニットを設置した試料マスクユニット微動機構を装着する状態を示す図である。
【図７】試料マスクユニットを設置した試料マスクユニット微動機構を光学顕微鏡に装着した状態を示す図である。
【図８】アルゴンイオンビーム中心と試料の断面研磨したい部位とを合わせる方法を示した説明図である。
【図９】イオンミリングによる試料断面研磨方法を示した説明図である。
【図１０】イオンミリング装置の概略構成図である。
【図１１】試料マスクユニットを設置した試料マスクユニット微動機構と試料ユニットベースの構成図である。
【図１２】試料マスクユニットを設置した試料マスクユニット微動機構と軸継手を使用した試料ユニットベースの構成図である。
【図１３】別体と設けられた光学顕微鏡に試料マスクユニットを設置した試料マスクユニット微動機構を装着する状態を示す図である。
【図１４】回転傾斜機構と偏心機構の構成図である。
【図１５】回転傾斜機構と偏心機構（軸継手を使用した）の構成図である。
【図１６】試料表面ユニットと試料ユニットベースの構成図である。
【図１７】光学顕微鏡を搭載したイオンミリング装置の概略構成図である。
【図１８】電子顕微鏡を搭載したイオンミリング装置の概略構成図である。
【図１９】断面ミリング時のイオンビーム軌道と、回転傾斜機構の回転傾斜軸との関係を説明する図。
【図２０】平面ミリング時のイオンビーム軌道と、回転傾斜機構の回転傾斜軸との関係を説明する図。
【図２１】イオンミリング装置の操作パネルの概要を示す図。
【図２２】イオンミリング装置の制御装置の概要を説明する図。
【図２３】加工モードと加工条件の設定工程を示すフローチャート。
【発明を実施するための形態】
【００１３】
断面ミリング装置（マスクを介して、試料をミリングし平滑な面を作成する装置）では、試料ステージと試料を保持するユニットの設置部が同じ回転傾斜軸（同じ動き）であるため、加工観察窓の設置位置は、試料ステージと同軸方向となるため、試料ステージを装置前面とすると、加工観察窓は装置前面または背面となり、観察装置（顕微鏡）の設置・操作が難しい。また、断面ミリング装置の回転傾斜機構を回転機構にするだけでは、平面ミリング（イオンビーム軸に対し垂直な面（試料ステージの傾斜角度９０度）を平滑に加工する）を行うことができず、断面・平面それぞれのミリング装置が必要であった。
【００１４】
本実施例では、主にミリングによる加工観察面の観察を容易にし、さらに断面ミリングおよび表面ミリング両者の加工ができることを特徴とするイオンミリング装置について説明する。
【００１５】
本実施例では、イオンミリング装置の一例として、真空チャンバに取り付けられ、試料にイオンビームを照射するイオンビーム源と、試料を固定する試料ホルダ、該試料ホルダに固定された試料の一部を遮蔽するマスク（遮蔽部）、前記試料ホルダを回転する試料回転機構および前記マスクと試料との遮蔽位置関係を調整するマスク位置調整部から構成される試料マスクユニットとイオンビームと垂直に試料マスクユニットをＸＹ駆動できる試料マスクユニット微動機構と前記試料マスクユニット微動機構を真空チャンバ内で設置できる試料ユニットベースおよび前記マスクと試料との遮蔽位置関係を観測する光学顕微鏡とを備えたイオンミリング装置において、前記試料マスクユニットまたは前記試料マスクユニット微動機構の試料ユニットベースへの固定部は、前記試料マスクユニットまたは前記試料マスクユニット微動機構の後部であり、前記試料ユニットベースに回転部を設け、前記真空チャンバの前面に前記試料ステージ、右または左側面に前記イオンビーム源、上面に加工観察窓を搭載し、試料と加工観察窓の間にシャッターを設けたことを特徴とするイオンミリング装置を説明する。
【００１６】
また、前記試料の回転傾斜機構は回転機能を備え、前記試料の回転軸の垂直方向にチルト軸が構成されるチルト機構を備え、イオンビーム軸と試料の回転軸（ステージ傾斜角９０度の場合）の偏心機構を設けたことを特徴とするイオンミリング装置を説明する。
【００１７】
上記した構成によれば、ミリングによる加工観察面の観察を容易にし、さらに断面ミリングおよび表面ミリング両者の加工が可能となる。
【００１８】
以下、実施例を図面に基づいて説明する。
【００１９】
本実施例ではアルゴンイオンビームを照射するためのイオン源を搭載したイオンミリング装置を例に採って説明するが、イオンビームはアルゴンイオンビームに限られることはなく、種々のイオンビームの適用が可能である。
【００２０】
図１はイオンミリング装置の構成を示したものである。真空チャンバ１５の上面にイオン源１、前面に試料ステージ８が設置されている。
【００２１】
試料ユニットベース５には、試料マスクユニット微動機構４が搭載される。搭載方法は、試料マスクユニット微動機構４の下面（イオンビームが照射されるマスク面の対面側）と試料ユニットベース５の上面を接触させて、ねじで固定される。試料ユニットベース５がイオンビームの光軸に対して任意の角度に回転傾斜できるように構成されており、回転傾斜させる方向と傾斜角度は、試料ステージ８により制御される。試料ステージ８を回転傾斜させることにより、試料マスクユニット微動機構４上に設置する試料３をイオンビームの光軸に対して所定の角度に設定することができる。更に、試料ステージ８の回転傾斜軸と試料上面（マスク下面）の位置を一致させて、効率良く平滑な加工面を作製している。また、試料マスクユニット微動機構４は、イオンビームの光軸に対して垂直方向の前後左右、すなわち、Ｘ方向とＹ方向に移動できるように構成される。
【００２２】
試料ユニットベース５は、真空チャンバ１５の容器壁の一部を兼ねるフランジ１０に搭載されている試料ステージ８（回転機構）を介して配置されており、フランジ１０をリニアガイド１１に沿って引き出して真空チャンバ１５を大気状態に開放した時に、試料ユニットベース５が真空チャンバの外部へ引き出されるように構成されている。このようにして、試料ステージ引出機構が構成される。
【００２３】
試料マスクユニット２１本体の構成を図２により説明する。図２の（ａ）は平面図、（ｂ）は側面図である。実施例では、少なくとも試料ホルダ２３とその回転機構、マスク２とその微調整機構とを一体に構成したものを試料マスクユニット（本体）２１と称する。図２では、試料ホルダ２３の回転機構として試料ホルダ回転リング２２と試料ホルダ回転ねじ２８が備えられており、イオンビームの光軸に対して、垂直に試料ホルダを回転できるようにしている。試料ホルダ回転リング２２は、試料ホルダ回転ねじ２８を回すことによって回転するように構成されており、逆回転はばね２９のばね圧で戻るようになっている。
【００２４】
試料マスクユニット２１は、マスクの位置と回転角を微調整できる機構を持ち、試料マスクユニット微動機構４に取り付け、取り外しができる。本実施例では、試料マスクユニット２１と試料マスクユニット微動機構４は２部品となっているが、１部品で構成されても良い。（実施例では判り易くするために、試料マスクユニットと試料マスクユニット微動機構を分けて説明する）。
【００２５】
マスク２はマスクホルダ２５にマスク固定ねじ２７により固定される。マスクホルダ２５はマスク微調整機構（すなわちマスク位置調整部）２６を操作することによってリニアガイド２４に沿って移動し、これにより試料３とマスク２の位置が微調整される。試料ホルダ２３は、下部側より試料ホルダ回転リング２２に挿入され固定される。試料３は試料ホルダ２３に接着固定される。試料ホルダ位置制御機構３０により試料ホルダ２３の高さ方向の位置を調整し、試料ホルダ２３をマスク２に密着させる。
【００２６】
図３は、試料マスクユニット２１の他の例を示す。この例にあっては、試料ホルダ固定金具３５を使用しており、他の構成は図２に示す例と基本的に同一である。図３（ａ）は、試料３を固定した試料ホルダ２３を試料マスクユニット２１内に装着した状態を示し、図３（ｂ）は試料３を固定した試料ホルダ２３を試料マスクユニット２１から取り外した状態を示す。
【００２７】
図４は、試料の断面とマスクを平行にする方法を示した説明図である。試料ホルダ回転ねじ２８を回してＸ１方向の位置調整を行い、試料３の断面とマスク２の稜線が平行になるよう後述するようにして顕微鏡下で微調整する。このとき、試料３の断面がマスクより僅かに突出、例えば５０μｍ程度突出するようにマスク微調整機構２６を回して設定する。
【００２８】
図５は、試料ステージ引出機構６０の構成を示す。試料ステージ引出機構６０は、リニアガイド１１とこれに固着されたフランジ１０からなり、フランジ１０に搭載された試料ステージに固着された試料ユニットベース５は、リニアガイド１１に沿って真空チャンバ１５から引き出される。この操作に伴って、試料ユニットベース５に試料マスクユニット２１を設置した試料マスクユニット微動機構４を設置、すなわちマスク２，試料ホルダ２３，試料３が真空チャンバ１５から一体的に引き出される。
【００２９】
本実施例において、試料マスクユニット２１を設置した試料マスクユニット微動機構４は、試料ユニットベース５に着脱自在に固定される構成を有する。従って、試料マスクユニット２１を設置した試料マスクユニット微動機構４が真空チャンバ１５の外部に引き出されると、試料マスクユニット２１を設置した試料マスクユニット微動機構４を試料ユニットベース５から着脱可能状態とされる（試料マスクユニット２１の着脱スタンバイ）。
【００３０】
図５は、このような着脱自在の状態から、試料マスクユニット２１を設置した試料マスクユニット微動機構４が着脱された状態を示す。この着脱は人手によって、もしくは適当な器具によって行う。
【００３１】
一方、マスク２と試料３との遮蔽位置関係を観測する光学顕微鏡４０は、図６に示すように、真空チャンバ１５から別体に構成され、任意の場所に配置することが可能とされる。そして、光学顕微鏡４０は、周知のルーペ１２，ルーペ微動機構１３を備える。更に、光学顕微鏡４０は、観測台４１上に取り外された試料マスクユニット２１を設置した試料マスクユニット微動機構４を装置するための固定台４２が設けてあり、位置決め用の軸と穴によって再現性のある決まった位置に試料マスクユニット２１を設置した試料マスクユニット微動機構４は、固定台４２上に設置される。
【００３２】
図７は、試料マスクユニット２１を設置した試料マスクユニット微動機構４を固定台４２上に固定した状態を示す。
【００３３】
図８は、試料３の断面研磨したい部位をイオンビーム中心に合わせる方法を示した説明図である。感光紙等を試料ホルダ２３に取り付け、イオンビームを照射することによりできた痕、すなわちビーム中心とルーペの中心をルーペ微動機構１３でＸ２，Ｙ２を駆動して合わせておく。図３で試料３を設置した後の試料マスクユニット本体２１を設置した試料マスクユニット微動機構４を固定台４２に設置する。固定台４２のＸ３，Ｙ３方向の位置を調整してルーペ中心に合わせることで、イオンビーム中心と断面研磨したい部位を合わせることができる。
【００３４】
このように、マスク２と試料３との遮蔽位置関係の調整時に、試料マスクユニット２１を設置した試料マスクユニット微動機構４は、試料ユニットベース５から取り外されて光学顕微鏡４０の固定台４２に装着され、マスク２は試料３に対する遮蔽位置関係がマスク位置調整部（マスク微調整機構）によって調整される。
【００３５】
図９は、イオンビームで試料３の断面を鏡面研磨する方法を示した説明図である。アルゴンイオンビームを照射すると、マスク２で覆われていない試料３をマスク２に沿って、深さ方向に取り除くことができ、且つ、試料３の断面の表面を鏡面研磨することができる。
【００３６】
このように、イオンミリング時に試料に対する遮蔽位置関係が調整されたマスク２を備えた試料マスクユニット２１を設置した試料マスクユニット微動機構４が試料ユニットベース５に戻され、装着されることになる。
【００３７】
以上のように、マスク２と試料３との遮蔽位置関係の調整時に、試料マスクユニット２１を設置した試料マスクユニット微動機構４を試料ユニットベース５から取り外して光学顕微鏡４０の固定台４２に装着し、マスクの試料３に対する遮蔽位置関係を調整し、イオンミリング時に、試料に対する遮蔽位置関係が調整されたマスク２を備えた試料マスクユニット２１を設置した試料マスクユニット微動機構４を真空チャンバ１５内に戻し、試料ユニットベース５に装着するようにしたイオンミリング方法が構成される。
【００３８】
図１に例示するようなイオンミリング装置では、断面ミリング加工を行うことができるが、平面ミリング加工を行うことができない。そこで、本実施例では、その両方の加工を可能とするイオンミリング装置を説明する。
【００３９】
図１０は、断面ミリング加工と平面ミリング加工の両方を行うことのできるイオンミリング装置の構成を示したものである。真空チャンバ１５の上面に加工観察窓７、左側面（右側面でも良い）にイオン源、前面に試料ステージを搭載し、試料と加工観察窓７の間にシャッター１０１が設けられている。このシャッター１０１は、スパッタされた粒子が加工観察窓７に堆積することを防ぐために設置される。真空チャンバ１５は、通常真空雰囲気を形成するための空間を形成する箱型形状、或いはそれに準ずる形状を為しているが、観察窓は箱の上方（重力のある環境で、重力場の向かう方向と反対の方向）に設けられ、イオン源は箱の側方壁面（箱の上方面に隣接する面であって、重力場の向かう方向と垂直な方向）に設けられる。即ち、加工観察窓は、試料ステージの傾斜軸と、イオンビームの照射軌道を含む平面に直交する方向であって、真空チャンバの壁面に設けられる。なお、後述するように、加工観察窓用の開口には、真空封止が可能な窓を設ける以外にも、光学顕微鏡や電子顕微鏡を設置することができる。
【００４０】
試料ユニットベース５には、試料保持部材（試料マスクユニット微動機構４を含む試料を保持する部材）を載置可能な回転体９が設けられており、回転体９は、試料保持部材を支持する支持台として機能する。試料ユニットベース５は、図１１のように回転体９と歯車５０とベアリング５１により構成されている。試料マスクユニット微動機構４は図１１のように試料マスクユニット微動機構４の後面にマスクユニット固定部（ネジ含む）５２を設置している。試料ユニットベース５への試料マスクユニット微動機構４の搭載方法は、試料マスクユニット微動機構４の固定面（後面）と試料ユニットベース５の回転体９上面を接触させて、マスクユニット固定部５２によりねじ固定される。試料ユニットベース５は回転傾斜されず、試料ユニットベース５に搭載されている回転体９により、真空チャンバ１５側面方向より照射されるイオンビームの光軸に対して任意の角度に回転傾斜できるように構成されており、回転傾斜させる方向と傾斜角度は、試料ステージ８により制御される。
【００４１】
ここで、試料ユニットベース５の回転体９を回転傾斜させる方法は、図１１，図１２（軸継手５３を使用）のどちらでも良い。試料ユニットベース５の回転体９を回転傾斜させることにより、試料マスクユニット微動機構４上に設置する試料３をイオンビームの光軸に対して所定の角度に設定することができる。更に、試料ユニットベース５の回転体９の回転軸と試料上面（マスク下面）の位置を一致させて、効率良い平滑な加工面を作製している。また、試料マスクユニット微動機構４は、イオンビームの光軸に対して垂直方向の前後左右、すなわち、Ｘ方向とＹ方向に移動できるように構成される。
【００４２】
装置と別体の光学顕微鏡４０への設置は、図１３のように試料マスクユニット２１または試料マスクユニット微動機構４の試料ユニットベース５へのマスクユニット固定部５２を使用せず、試料マスクユニット微動機構４の下面を使用する方法でも良い。
【００４３】
図６の例と異なる点は、ビーム中心とルーペ中心を調整するルーペ微動機構１３を固定台４２側で行う点である。このルーペ微動機構１３は、本例或いは図６の例のどちらを採用しても良い。それ以外については、図６の例と同様の作業を行う。
【００４４】
図１０に例示したイオンミリング装置には、図１４に例示するように試料の回転傾斜機構に回転機能が設けられ、且つイオンビーム軸に垂直方向の回転傾斜軸を持つ傾斜機構が設けられている。更に、図１４のように傾斜角を９０度とした際のイオンビーム軸と試料マスクユニット微動機構４の回転軸をずらす偏心機構を設ける。ここで、図１５のように軸継手を使用する方式でも良い。但し、軸継手を使用する場合には、図１５のように回転傾斜部内に設置し、偏心機構は試料ユニットベース５の回転体の下部に設置しなければならない。図１４，図１５のように試料の回転機能を有し、イオンビーム入射角，偏心量を任意に決めることにより、断面ミリング（マスクを介して、試料をミリングし平滑な面を作成する装置）でありながら、平面ミリング（イオンビーム軸に対し垂直な面（試料ステージの傾斜角度９０度時）を平滑に加工する）が可能になる。
【００４５】
但し、断面ミリングと平面ミリングはイオン源の性能によって、イオン源と試料間の距離を変更する必要があるため、イオンビーム軸の方向にイオン源又は試料ステージの可動機構を設けている。従ってイオン源により、断面ミリングと平面ミリングを行う際のイオン源と試料間距離が決定するので、試料を搭載している試料ステージの位置又はイオン源の位置により断面ミリング又は平面ミリングを認識し、断面ミリング又は平面ミリングモード（例えば、回転傾斜又は回転）を切り替える機能を有している。
【００４６】
ここで、異なる２種の加工が可能となる理由を更に詳述する。以下、本実施例にて例示する装置が、断面ミリング加工と平面ミリング加工の双方を実施し得る原理について詳述する。図１９は断面ミリングの際のイオンビームの照射方向と、各回転機構或いは傾斜機構（以下、単に回転機構と称する）の回転軸或いは傾斜軸（以下、単に回転軸と称する）との関係を示す図であり、図２０は平面ミリングの際のイオンビームの照射方向と、各回転軸との関係を示す図である。
【００４７】
図１９において、破線にて表現される軸１９０１は、図１０の上図にて一点鎖線で表現した軸と平行であり、例えば図１１に例示する回転体９の回転軸にも平行な軸である。更に二点鎖線で表現される軸１９０２は、試料ステージ８の回転軸に平行な軸である。また、一点鎖線で表現される軸１９０３は、イオン源１から放出されるイオンビームの照射方向を示している。また、軸１９０１は、マスク２のイオンビーム被照射面と平行な関係にある。
【００４８】
また、軸１９０１，１９０２，１９０３は直交しており、本例の場合、軸１９０１がｚ軸、軸１９０２がｙ軸、軸１９０３がｘ軸に平行になるように設置される。
【００４９】
断面ミリングのときには、試料３の断面にイオンビーム軌道に沿った筋が形成されないように、軸１９０１に平行な回転軸を回転中心とした往復傾斜駆動を行う。このとき、マスク面は軸１９０１に平行となる。また、平面ミリングのときには、図２０に例示するように、試料１９０４を試料ステージ８によって所定角度に傾斜、或いは所定角度範囲で往復傾斜駆動しつつ、軸１９０１の傾斜軸１９０５に平行な軸を回転軸として試料１９０４を回転させる。
【００５０】
以上のように、本実施例装置は、第１の回転軸（軸１９０２に平行な軸）を有する試料ステージ上にて、第２の回転軸（軸１９０１、或いは軸１９０５（傾斜往復運動を行う場合を含む））を回転、或いは傾斜中心とした回転、或いは往復傾斜駆動を行い得るものである。即ち、図１０に例示する装置は、断面ミリングのときの往復傾斜駆動と、平面ミリングのときの試料の回転或いは往復傾斜駆動を、試料ステージ８上に搭載される回転機構にて行うと共に、平面ミリングのときの傾斜を、試料ステージ８自体を傾斜させる回転機構にて行うことを特徴としている。なお、図２０では軸１９０５は駆動機構の回転中心を示しているが、平面ミリングの場合には、試料上の広範囲の領域を平面加工するため、試料中心を軸１９０５から偏心させた状態で回転を行う。
【００５１】
図２１は、断面ミリング加工と、平面ミリング加工の切り替えと、ステージ等の動作条件を設定する操作パネルの一例を示す図である。加工モード設定部２１０１には、平面ミリング（Flat）か、断面ミリング（Cross-section）かを選択するボタンが配置されており、どちらか一方の択一的な選択が可能となっている。また、ステージ動作条件設定部２１０２には、傾斜（tilt）か、往復傾斜（swing）かを選択するボタンが配置されており、どちらか一方の択一的な選択が可能となっている。ステージ動作条件設定部２１０２には更に、傾斜角度、或いは往復傾斜の角度範囲（Angle）と、往復傾斜の場合の周期速度（Speed）を設定する設定部が設けられている。更に、回転テーブル動作条件設定部２１０３には、回転テーブルによる往復傾斜角度（Angle）と、往復傾斜の周期速度（Speed）を設定する設定部が設けられている。
【００５２】
図２１に例示する操作パネルでは、数値入力が必要な設定部については、セレクトキー（Select）により、入力窓の選択を可能とすると共に、“Up”，“Down”ボタンによって、数値の選択を可能としている。更にエンターキー（Enter）によって、選択された数値の登録を行う。ここで言うところのステージとは、例えば図１０の試料ステージ８であり、回転テーブルとは、例えば図１１の回転体９のことである。
【００５３】
断面ミリング加工には、回転テーブルの往復傾斜駆動を要する反面、試料ステージの往復傾斜駆動を必要としない。よって、断面ミリング加工を選択（Cross-Sectionのボタンを選択）したとき、ステージ動作条件設定部２１０２における設定を禁止、或いは無効とするようにミリング装置の制御装置を構成しておくと良い。また、断面ミリング時に試料ステージ８を傾斜してしまうと、加工対象とは関係のない部分にイオンビームを照射したり、試料断面を斜めに加工してしまうことになるため、断面ミリング加工を選択したとき、試料ステージ８が傾斜した状態にある場合に、イオンビームの照射を行わないような制御を行ったり、エラーメッセージを発生することで、操作者に注意を促すようにしても良い。また、自動的に、試料ステージ８の傾斜角度をゼロにするように制御を行っても良い。
【００５４】
また、平面ミリング加工には、試料ステージ８の傾斜と、回転テーブルの回転或いは往復傾斜の双方を用いるため、ステージ動作条件設定部２１０２と、回転テーブル動作条件設定部２１０３の双方の入力を有効にする必要がある。
【００５５】
本実施例装置では、回転体９に、断面ミリング時の往復傾斜駆動と、平面ミリング時の回転駆動の両方を行わせることによって、１のミリング装置で２つの異なるミリング加工を可能とした。
【００５６】
なお、図１０に例示する装置では、イオン源１が真空チャンバ１５の側方に設置されている。このような構成とする理由は、傾斜ステージの非傾斜時（例えば断面ミリング時）に、ステージを安定した状態とすることできるからである。傾斜ステージの非傾斜状態で、断面加工を行うためには、イオンビームを側方から照射する必要があり、そのためにイオン源１が真空チャンバ１５の側方に設置されている。また、それに伴って加工断面を確認するための加工観察窓を真空チャンバ１５の上方に設置した。このような構成によれば、断面ミリング時の加工断面の確認と、平面ミリング時の加工面の確認を１つの観察窓で行うことが可能となる。
【００５７】
図２２は、図１０に例示するイオンミリング装置の制御装置の一例を示す図である。切替部２２０１は、図２１の操作パネルに相当するものであり、切替部２２０１における選択情報は、制御装置２２０２に設けられた入力インターフェース２２０５を介して、演算部２２０７に伝達される。演算部２２０７では、制御信号発生部２２０９が、入力信号に基づいて、制御信号記憶部２２０８より制御信号を読み出し、その信号を出力インターフェース２２０６に伝達する。駆動機構２２０３，２２０４では、受信した制御信号に基づいて、切替部２２０１にて選択した条件の駆動を実行する。
【００５８】
駆動機構２２０３は、傾斜ステージを駆動する駆動機構であり、駆動機構２２０４は、傾斜ステージ上に搭載された回転テーブルを駆動する駆動機構である。なお、本実施例では、切替部２２０１による加工モードの選択によって、断面ミリング加工を行うか、平面ミリング加工を行うかの選択を行う例を示しているが、これに限ることはなく、例えば試料台形状を認識するセンサを備えておき、自動的に加工モードを選択するようにしても良い。この場合、センサと当該センサ情報を認識する演算装置が、切替部に相当することになる。
【００５９】
また、切替部による加工モード選択と、装置状態とを比較して、当該選択、或いは装置状態が適切ではない場合に、エラーメッセージを発生することによって、誤った条件に基づく加工をしないように、操作者へ警報を発生することもできる。
【００６０】
図２３は、加工モードと装置状態を比較し、正確な装置設定を操作者に促すメッセージを発生するための判断工程を示すフローチャートである。まず、装置の電源をオンにした上で、図２１に例示したような操作パネル上にて、加工モードを選択する（ステップ２３０１）。ここで演算部２２０７の制御信号発生部２２０９では、いずれの加工モードが選択されたかを判断し（ステップ２３０２）、その加工モードに見合った試料ホルダが試料ステージ上に設置されているかを判断する（断面加工が選択されている場合には、ステップ２３０３、平面加工が選択されている場合には、ステップ２３０４にて判断を実施する）。
【００６１】
所定の試料ホルダが設置されているか否かの判断は、両者の違い、及び試料ホルダの設置の有無を判断するためのセンサ（センサ部２２１０）を真空チャンバ内に備えておくことによって実施する。このセンサが、試料ホルダ自体が設置されていない、或いは設定された加工モードに不適な試料ホルダが設置されている旨の信号を発生した場合、演算部２２０７に内蔵された装置状態監視部２２１１は、所定の信号を表示部２２１２に伝達し、エラーメッセージを発生する（ステップ２３０５）。エラーメッセージは、図２１に例示した操作パネルの表示部上に“Err”のような表示を行うようにしても良いし、他の表示手段或いは警報発生器を用いるようにしても良い。
【００６２】
次に、ステップ２３０２にて、断面ミリングを選択した場合に、試料ステージ８の傾斜角がゼロになっているかを判定（ステップ２３０６）し、ゼロでない場合にエラーメッセージを発生する。このようなメッセージ発生によって、断面ミリングに適さないステージ状態となっていることを把握することが可能となり、誤った加工を行う可能性を抑制することができる。ステップ２３０７にて、ステージ傾斜角が適正に設定されていることを確認した上で、回転テーブルの往復傾斜駆動の条件の入力を可能とする状態に移行する（ステップ２３０７）。
【００６３】
また、ステップ２３０２にて、平面ミリングを選択した場合には、傾斜ステージと回転ステージの双方を駆動することになるため、両者の条件設定を可能とする状態に移行する（ステップ２３０８）。
【００６４】
以上のようなステップを経由して、更に他に設定すべき条件（イオンビーム電流，加工時間等）が設定されていることを判定（ステップ２３０９）し、加工を開始する（ステップ２３１０）。
【００６５】
上述のような工程を経て、加工を行うことによって、２種類の加工を行い得る装置において、誤った選択を行うことがなくなり、容易に加工条件設定を行うことが可能となる。また、ステップ２３０６にて、ステージが傾斜していた場合（傾斜角０°以外の場合）、自動的に非傾斜状態となるように、傾斜ステージを制御するようにしても良い。
【００６６】
以上のように、加工モードの設定情報と、装着されたホルダの種類、及び装置状態を認識すると共に、これらの情報を比較することによって、現在の設定状態が適切なものか否かを容易に判断することができ、誤った設定に基づく加工を未然に防ぐことが可能となる。
【００６７】
また、上述したように、断面ミリングと平面ミリングはイオン源の性能によって、イオン源と試料間の距離を変更する必要があるため、試料ステージの位置の設定に応じて、自動的に加工モードを切り替えるようにしても良い。更に、試料ステージの位置設定と、加工モードの選択が矛盾するような場合に、エラーメッセージを発生するようにしても良い。この場合も図２３に例示するような工程を経て、設定を行うことによって、誤った設定を抑制することが可能となる。また、加工モードの選択によって、自動的に試料ステージ位置を制御する制御機構を設けるようにしても良い。
【００６８】
試料マスクユニット２１を搭載している試料マスクユニット微動機構４は装置本体から着脱可能なので、試料マスクユニット微動機構４を装置から取り外し、試料表面ユニットを装置に取り付けることが可能である。試料表面ユニットを設置して平面ミリングを行った場合、試料以外のミリング加工が最小限となり、試料ユニットのダメージが皆無となる。
【００６９】
また、図１０等に例示したイオンミリング装置の加工観察窓の上部に、図１７のように光学顕微鏡５７を設置することにより、ミリング加工の進捗が確認できる。所望の加工範囲まで加工が完了した時点で、加工を終了し、試料を取り出すことができるため、スループットの向上につながる。
【００７０】
更に、図１７に例示した光学顕微鏡５７に替えて、図１８に例示するように電子顕微鏡５８を設置しても良い。イオンビームにより試料をミリング加工している途中で、加工の進捗を確認するために使用する。使用方法は、ミリング加工を一度停止し、汚れ防止用シャッターを開放後、電子顕微鏡５８による観察を行う。所望の加工範囲が得られていない場合には、電子ビーム照射を終了し、汚れ防止用シャッターを閉じた後、再度イオンビームを照射し、ミリング加工を開始する。所望の加工範囲が得られている場合には、必要となる倍率まで拡大し、必要となる画像を取得する。
【００７１】
装置より試料マスクユニット微動機構４または試料表面ユニットを取り外し、電子顕微鏡用の試料ユニットに試料を搭載し、試料ユニットを装置に取り付け、通常の電子顕微鏡としても使用可能としている。
【００７２】
本実施例に例示したイオンミリング装置によれば、真空チャンバ１５の上面に加工観察窓７、左側面（右側面でも良い）にイオン源１、前面に試料ステージ８を設置したイオンミリング装置が可能となり、加工面観察装置の設置，観察共、容易となる。更に、断面ミリングおよび表面ミリング両者の加工が一つの装置で可能となる。
【００７３】
近年、特に半導体分野で、複合材料を電子顕微鏡で断面観察することが重要となってきており、複合材料の断面を鏡面研磨する重要性が増している。本実施例により、断面ミリングおよび平面ミリングの両者を一つの装置で行うことが可能になった。更に観察装置を真空チャンバ上部に設置することにより、操作性が極めて向上する。
上記記載は実施例についてなされたが、本発明はそれに限らず、本発明の精神と添付の請求の範囲の範囲内で種々の変更および修正をすることができることは当業者に明らかである。
【符号の説明】
【００７４】
１  イオン源
２  マスク
３  試料
４  試料マスクユニット微動機構
５  試料ユニットベース
６  真空排気系
７  加工観察窓
８  試料ステージ
９  回転体
１０  フランジ
１１，２４  リニアガイド
１２  ルーペ
１３  ルーペ微動機構
１５  真空チャンバ
２１  試料マスクユニット
２２  試料ホルダ回転リング
２３  試料ホルダ
２５  マスクホルダ
２６  マスク微調整機構
２７  マスク固定ネジ
２８  試料ホルダ回転ねじ
３０  試料ホルダ位置制御機構
３５  試料ホルダ固定金具
４０，５７  光学顕微鏡
４１  観測台
４２  固定台
５０  歯車
５１  ベアリング
５２  マスクユニット固定部
５３  軸継手
５４  直動機器
５５  モータ
５６  試料表面ユニット
５８  電子顕微鏡
６０  試料ステージ引出機構
【図１】
0005491639.tif 000002
【図２】
0005491639.tif 000003
【図３】
0005491639.tif 000004
【図４】
0005491639.tif 000005
【図５】
0005491639.tif 000006
【図６】
0005491639.tif 000007
【図７】
0005491639.tif 000008
【図８】
0005491639.tif 000009
【図９】
0005491639.tif 000010
【図１０】
0005491639.tif 000011
【図１１】
0005491639.tif 000012
【図１２】
0005491639.tif 000013
【図１３】
0005491639.tif 000014
【図１４】
0005491639.tif 000015
【図１５】
0005491639.tif 000016
【図１６】
0005491639.tif 000017
【図１７】
0005491639.tif 000018
【図１８】
0005491639.tif 000019
【図１９】
0005491639.tif 000020
【図２０】
0005491639.tif 000021
【図２１】
0005491639.tif 000022
【図２２】
0005491639.tif 000023
【図２３】
0005491639.tif 000024